(57)【要約】【課題】  交互に逆方向に折り返して伸縮可能としたネットを有する横引き網戸において、ネットの自立性および風圧に対する強度を保ちながら、ネット交換を容易にする。【解決手段】  交互に逆方向に折り返す折畳みにより伸縮可能とした防虫用ネット１０を横引きにより開閉自在とし、ネット１０の伸縮方向に伸びる張紐１２ａ〜１２ｄを該ネット１０の両端の框２，１１間に張設した横引き網戸１おいて、ネット１０の表裏の少なくとも一方の面における折り目の頂部１０ａに、上記張紐に係止する張紐係止体１３を設けて、張紐係止体を張紐１２に係止させる。【選択図】        図１
2006028929.tif 000002
【特許請求の範囲】
【請求項１】
平行な折り目により交互に逆方向に折り返して、該折り目での折畳みにより伸縮可能とした防虫用ネットを横引きにより開閉自在とし、該ネットの伸縮方向に伸びる張紐を、該ネットの伸縮方向両端を着脱自在に取り付けた框間に張設してなる横引き網戸おいて、
上記ネットの表裏面の少なくとも一方の面における折り目の頂部に位置させて、上記張紐に係止する張紐係止体を設け、該張紐係止体を上記張紐に係止させた、
ことを特徴とする横引き網戸。
【請求項２】
上記張紐係止体を、上記ネットの全面において略均等間隔の折り目の頂部における上記張紐に対応する部位に設けた、
ことを特徴とする請求項１に記載の横引き網戸。
【請求項３】
上記張紐係止体が、上下方向に伸びる長穴を有するとともに、上記張紐が該長穴に進入可能なスリットを有する枠状をなしている、
ことを特徴とする請求項１に記載の横引き網戸。
【請求項４】
上記スリットが長穴の下部に連通している、
ことを特徴とする請求項３に記載の横引き網戸。
【請求項５】
上記張紐係止体が、上記ネットの折り目の頂部に当接する枢軸部と、該枢軸部上から突出するとともに上下方向に伸びる長穴を備えた枠状の係止部と、上記枢軸部に連設され、該枢軸部を中心に蝶番状に回動する２枚の翼板とを有し、
該２枚の翼板を上記ネットの頂部を挟んだ両側面に支持させた、
ことを特徴とする請求項１ないし４のいずれかに記載の横引き網戸。
【請求項６】
上記張紐係止体が、上記ネットの一側面に支持される板状部と、上記張紐に対応する複数の部位において突出して上下方向に伸びる長穴を有する枠状の係止部とを有する、
ことを特徴とする請求項１ないし４のいずれかに記載の横引き網戸。
【請求項７】
上記防虫用ネットの伸縮方向両端にそれぞれ固定板が固定され、該固定板が面状ファスナによりそれぞれ框に着脱自在に取り付けられている、
ことを特徴とする請求項１ないし４のいずれかに記載の横引き網戸。
【請求項８】
上記ネットにおける上下の双方または一方にフックを取り付け、このフックを網戸枠の横枠材のガイド溝に摺動自在に係合させ、上記フックをガイド溝またはネットと着脱自在にすることにより、上記ネットを横枠材から着脱自在とした、
ことを特徴とする請求項１ないし４のいずれかに記載の横引き網戸。
【発明の詳細な説明】
【技術分野】
【０００１】
本発明は、交互に逆方向に折り返して伸縮可能とした防虫用ネットを横引きにより開閉自在とした横引き網戸に関するものであり、さらに詳しくは、上記ネットを張紐により保持させてネットの開閉を行うようにした横引き網戸の改良に関するものである。
【背景技術】
【０００２】
この種の網戸では、ネットを開閉するためにネットの両端を可動框と固定框に取り付けたり、あるいは二つの可動框に取り付けたりして、左右いずれかの片開き、あるいは左右の一方を選択的に開閉する両開きで開閉できるようになっている。
そして、ネットの自立性を保ち、風圧に対する強度を持たせるために、複数本の張紐を可動框等に固定するとともに網戸の固定框と可動框との間でネットを貫通した所定の経路に張設している（特許文献１）。
【０００３】
しかしながら、張紐をこのように張設した網戸においては、ネットの破損等によりネットを交換する必要が生じた場合に、張紐をネットから抜き取らなければならないとともに新しいネットを設置する際にもネットの開孔に挿通しなければならないと云う手間が必要であり、ネット交換が面倒であると云う問題があった。また、上記張紐は、網戸の固定框や可動框に固定されている場合がほとんどであり、一般のユーザーが家庭でネット交換をすることは実質的に困難であった。
【０００４】
このような問題を改善するために、上記ネットの表裏面に沿って複数の張紐を張設し、これらの張紐間に該ネットを挟んでネットの開閉を行うようにした網戸も提案されている（特許文献２）。
この網戸では、ネット交換において張紐をネットの開孔に挿通する必要がないので、ネット交換が容易であるが、ネットの自立性を確保するために該ネットの上下端を多点でガイドさせることが必須となり、ネットの保持構造の一層の簡素化およびネット交換の一層の容易化が望まれていた。
【０００５】
【特許文献１】特開平５−１７９８７５号公報
【特許文献２】特開平８−０９３３５９号公報
【発明の開示】
【発明が解決しようとする課題】
【０００６】
本発明の技術的課題は、交互に逆方向に折り返して伸縮可能としたネットを横引きにより開閉自在とした横引き網戸において、ネットの自立性を保ち、風圧に対する強度を持たせるために、張紐をネットに挿通させる必要がないばかりか、張紐の張設構造が簡単であり、かつ、ネット交換が容易である横引き網戸を提供することにある。  
【課題を解決するための手段】
【０００７】
上記課題を解決するため、本発明は、平行な折り目により交互に逆方向に折り返して、該折り目での折畳みにより伸縮可能とした防虫用ネットを横引きにより開閉自在とし、該ネットの伸縮方向に伸びる張紐を、該ネットの伸縮方向両端を着脱自在に取り付けた框間に張設してなる横引き網戸おいて、上記ネットの表裏面の少なくとも一方の面における折り目の頂部に位置させて、上記張紐に係止する張紐係止体を設け、該張紐係止体を上記張紐に係止させたことを特徴とするものである。
上記張紐係止体は、上記ネットの全面において略均等間隔の折り目の頂部における上記張紐に対応する部位に設けることが望まれる。
【０００８】
本発明の横引き網戸の好ましい実施形態においては、上記張紐係止体が、上下方向に伸びる長穴を有するとともに、上記張紐が該長穴に進入可能なスリットを有する枠状をなしたものとし、さらに該スリットが長穴の下部に連通するように設けられる。
本発明の他の好ましい実施形態においては、上記張紐係止体が、上記ネットの折り目の頂部に当接する枢軸部と、該枢軸部上から突出するとともに上下方向に伸びる長穴を備えた枠状の係止部と、上記枢軸部に連設され、該枢軸部を中心に蝶番状に回動する２枚の翼板とを有し、該２枚の翼板を上記ネットの頂部を挟んだ両側面に支持させたものとして構成され、あるいは、上記張紐係止体が、上記ネットの一側面に支持される板状部と、上記張紐に対応する複数の部位において突出して上下方向に伸びる長穴を有する枠状の係止部とを有するものとして構成される。
【０００９】
また、本発明の他の実施形態においては、上記防虫用ネットの伸縮方向両端にそれぞれ固定板を固定し、該固定板を面状ファスナによりそれぞれの框に着脱自在にすることができる。
さらに、上記ネットにおける上下の双方または一方にフックを取り付け、このフックを網戸枠の横枠材のガイド溝に摺動自在に係合させ、上記フックをガイド溝またはネットと着脱自在にすることにより、上記ネットを横枠材から着脱自在とすることができる。
【００１０】
上記構成を有する横引き網戸においては、框間へのネットの着脱に際して、上記張紐に上記張紐係止体を係脱するとともに、該框とネットの伸縮方向両端との着脱を行うという簡単な操作により、張紐とネットを容易に着脱することができる。
【発明の効果】
【００１１】
上記構成を有する本発明の横引き網戸によれば、張紐によりネットの自立性を保つことができ、しかも、風圧に対する強度を持たせるために、張紐をネットに挿通させる必要がなく、張紐の張設構造が簡単であり、かつ、ネット交換が容易である。
【発明を実施するための最良の形態】
【００１２】
以下に、図面に示す実施例に基づいて本発明を詳細に説明する。
図１ないし図５は、本発明の第１実施例に係る片開きの横引き網戸を示している。
図示の横引き網戸１は、建物開口部に取り付けられる網戸枠を備え、この網戸枠は、固定框である縦枠材２，３と、図示を省略した上横枠材４と下横枠材５（図９参照）とを備えている。
【００１３】
上記網戸枠内には、縦枠材２に一端が固定された防虫用ネット１０と、該ネット１０の他端が固定されて上下横枠材（図示省略）に横引きをガイドされた開閉操作用の可動框１１とが設けられ、可動框１１を横引きすることにより該ネット１０が伸縮自在となるように取り付けられている。また、上記網戸枠内には、複数の張紐１２ａ〜１２ｄが、縦枠材２と可動框１１との間でネット１０の表面に沿って所定の経路を形成するように張設されている。
【００１４】
上記防虫用ネット１０は、図３および図４に明瞭に示すように、上下方向に向く平行な折り目により交互に逆方向に折り返して、該折り目での折畳みにより伸縮可能に形成されており、その伸縮方向の両端がそれぞれネット１０の高さに略一致する合成樹脂ないしはアルミニュウム等からなる固定板１４，１４に固定され、これらの固定板１４のそれぞれには、ネット１０を固定した面の裏面に面状ファスナ１５Ａが固定されている。一方、縦枠材２の内方の固定板１４との対向面には、上記面状ファスナ１５Ａと接合される面状ファスナ１５Ｂが、対応位置に固定されている。また、可動框１１の内方の固定板１４の対向面には、上記と同様な面状ファスナ１５Ｂが、同様に固定されている。上記面状ファスナ１５Ａと面状ファスナ１５Ｂとは、相互の接合面を圧接することにより簡単に係合するとともに、引張ることにより簡単に剥離する構成を有している。
そして、上記防虫用ネット１０と、外面に面状ファスナ１５Ａを固定してある両固定板１４とが、縦枠材２と可動框１１とに着脱自在なネットユニット８を構成している。
【００１５】
上記張紐１２ａ〜１２ｄは、可動框１１を横引きした際に、伸縮可能な防虫用ネット１０を円滑に伸縮させるとともに、可動框１１を安定して平行移動させるための平行移動機構を構成するものである。この張紐１２ａ〜１２ｄは、図２に示すように、その４本が、ネット１０を介して対向する縦枠材２と可動框１１との間に、ネット１０に挿通することなく、該ネットの表面に沿ってネットの伸縮方向に張設されたものである。すなわち、図３に示すように、ネット１０の折り目の頂部１０ａに近接して延びるように、該ネット１０の側面に沿って配設されている。
【００１６】
上記張紐は、具体的には、可動框１１の高さ方向にほぼ一定の間隔になるように該可動框１１に各張紐１２ａ〜１２ｄの各一端が固定され、それらの張紐１２ａ〜１２ｄは、ネット１０の伸縮方向に沿って縦枠材２まで導かれ、縦枠材２内で図示しない転向子により縦枠材２内を上方に導かれて上横枠材内に至り、該上横枠材内で図示しない転向子により更に転向されて該上横枠材内を縦枠材３内に導かれている。
【００１７】
そして、縦枠材３の上端部において、可動框１１からネット１０の上半部に沿って導かれてきた張紐１２ａ，１２ｂは、転向子により転向して縦枠材３の下端部まで導かれ、そこで更に転向されて可動框１１の下部に固定されている。
一方、可動框１１からネット１０の下半部に沿って導かれてきた張紐１２ｃ，１２ｄは、縦枠材３の上端部の転向子に巻き掛けたうえで戻り方向に導かれ、可動框１１の上部に固定されている。
【００１８】
上記張紐１２ａ〜１２ｄにネット１０を保持させるため、該ネット１０における折り目の頂部１０ａに、上記張紐１２ａ〜１２ｄに係止する張紐係止体１３を設けている。この張紐係止体１３は、ネット１０の全面における略均等間隔の折り目の頂部１０ａで、上記張紐１２ａ〜１２ｄに対応する部位に取り付けるもので、合成樹脂の成形体からなり、図１に示すように、矩形の枠状係止部１３ａに上下方向に伸びる長穴１３ｂを設けるとともに、張紐１２ａ〜１２ｄを該長穴１３ｂ内に進入させ得るスリット１３ｃを有し、基端側を固定部とするものである。そして、この張紐係止体１３は、ネット１０の表面に形成された折り目の頂部１０ａ近辺に接着等により保持させて、該頂部１０ａから前方に突出させている。なお、上記張紐係止体１３はネット１０に溶着、縫着、その他の任意手段で取り付けることができる。
【００１９】
上記張紐係止体１３に設けたスリット１３ｃは、該張紐係止体１３の下部から長穴１３ｂに向って斜め上方に伸びるもので、このスリット１３ｃは、その幅が張紐１２ａ〜１２ｄの太さに一致するか、わずかに狭くなっていて、張紐１２ａ〜１２ｄを押圧により該スリット１３ｃから長穴１３ｂ内に進入させることはできるが、みだりに抜脱しないものであることが望まれる。
このような張紐係止体１３は、そのスリット１３ｃを通して張紐１２ａ〜１２ｄを長穴１３ｂ内へ進入させることにより、ネット１０をそれらの張紐に対して吊持状に係止させることができるものであり、この張紐係止体１３はネット１０における張紐１２ａ〜１２ｄに対応する位置に適宜離散的に設けることができる。
【００２０】
つぎに、上記横引き網戸１へのネットユニット８の設置手順と、設置された横引き網戸１から該ネットユニット８を着脱する手順について説明する。
図４及び図５は、建物開口部へ設置した横引き網戸１の網戸枠と、この網戸枠に防虫用ネット１０を含むネットユニット８を取り付ける状態を示している。
網戸枠の縦枠材２，３および可動框１１には、予め張紐１２ａ〜１２ｄが図２に示す状態で巻き掛けられており、この網戸枠における縦枠材２と可動框１１との間に、取り付けようとするネットユニット８のネット１０を畳んだままで持ち込み、該ネットに取り付けられた多数の張紐係止体１３を４本の張紐１２ａ〜１２ｄに係止させるとともに、該ネット１０の両端の固定板１４における面状ファスナ１５Ａを、縦枠材２と可動框１１のそれぞれの内面に設けた面状ファスナ１５Ｂに押し付けて固定する。
張紐係止体１３の張紐１２ａ〜１２ｄへの係止は、スリット１３ｃをそれらの張紐に押し当てることにより、スリット１３ｃが弾性的に拡幅して張紐を長穴１３ｂ内に簡単に進入させることができるので、その作業を容易に行うことができる。
【００２１】
ネット１０の交換が必要になった場合は、上記取り付け時と反対の手順でネットユニット８を取外すことができる。
すなわち、まず両固定板１４，１４の面状ファスナ１５Ａを縦枠材２と可動框１１の面状ファスナ１５Ｂからそれぞれ離脱させ、ついで、そのネットユニット８を畳んだ状態で張紐１２ａ〜１２ｄから張紐係止体１３を外せばよい。これにより、ネットユニット８は網戸枠から完全に取り外される。そして、新しいネットユニット８を上記設置時と同様に取り付ければ、ネットユニット８の交換が完了する。
【００２２】
上記張紐係止体１３は、図６または図７の第２実施例または第３実施例に示すように構成することもできる。
なお、これらの図では張紐係止体の部分以外は第１実施例の場合と実質的に変わるところがないので、それらについては省略している。
【００２３】
図６に示す第２実施例において、張紐係止体２３は、ネット１０の折り目の頂部１０ａに当接する枢軸部２４と、この枢軸部２４から突出して上下方向に伸びる矩形状の係止部２５と、上記枢軸部２４に連設されて該枢軸部２４を中心に蝶番状に回動可能にした２枚の翼板２６Ａ，２６Ｂとを有し、それらが合成樹脂により一体成形されている。上記枢軸部２４は、係止部２５と一体化させているが、この係止部２５は、上記第１実施例の張紐係止体１３の係止部１３ａと実質的に同様の構造を有するものであり、該張紐係止体１３と同様の上下方向に伸びる長穴２５ｂと、該長穴２５ｂに連通するスリット２５ｃとを有している。
【００２４】
また、上記２枚の翼板２６Ａ，２６Ｂは、係止部２５と一体である枢軸部２４の両角辺から、係止部２５の板厚より十分に薄い溝状の薄肉部を介して連設され、この薄肉部をヒンジとして枢軸部２４を中心に蝶番状に回動できるようにしている。そして、この張紐係止体２３は、枢軸部２４をネット１０の頂部１０ａに当接し、翼板２６Ａ，２６Ｂをネット１０の頂部１０ａを形成する両側面にそれぞれ接着剤等で接合することによりネット１０に取り付けられるものである。
【００２５】
このような構成を有する張紐係止体２３は、それを第１実施例で説明したような張紐１２に係止して可動框１１を移動させると、ネット１０の伸縮に応じて翼板２６Ａ，２６Ｂが回動し、ネット１０の円滑な伸縮を損なうことはない。
なお、この張紐係止体２３は、合成樹脂により一体成形され、枢軸部２４と係止部２５とが一体化されているが、それに限られるわけではなく、複数部品の結合によって構成することができる。
【００２６】
図７に示す第３実施例において、張紐係止体３３は、上記防虫用ネット１０の折り目の頂部１０ａを形成する両側面のうちの一方の全側面に接合保持される板状部３４と、ネット１０の張紐１２に対応する部位に突設された該張紐１２に係止する複数の係止部３５とを有している。この張紐係止体３３は、合成樹脂ないしはアルミニュウムなどで一体成形することが好ましいが、これらの材質に限られるものではない。
上記係止部３５は、前記第１実施例の張紐係止体１３と同様に、長穴３５ａとそれに連通するスリット３５ｂとを有するものである。
【００２７】
上記板状部３４は、図示の例では、ネット１０の側面の全面に接合させるようにしているが、ネット１０の側面に部分的に接合させることもでき、その接合のための手段としては、任意手段を用いることができる。
なお、この張紐係止体３３をネット１０の一側面の全面に接合するようにした場合には、ネット１０の自立性を向上させることができる。
【００２８】
また、上記張紐は、第１実施例（図２）に示した形態に限らず、種々態様で張設することができる。
図８は、その張紐の異なる張設態様を示すもので、この例における張紐１２ｅ〜１２ｈは、第１実施例と同様に、その４本が、ネット１０を介して対向する縦枠材２と可動框１１との間に、ネット面に沿って、ネット１０に挿通することなく、ネットの伸縮方向に張設され、可動框１１を横引きした際に、伸縮可能な防虫用ネット１０を円滑に伸縮させるとともに、可動框１１を安定して平行移動させるための平行移動機構を構成するものである。
【００２９】
上記張紐は、具体的には、縦枠材２の高さ方向にほぼ一定の間隔になるように該縦枠材２に張紐１２ｅ〜１２ｈの各一端が固定され、それらの張紐１２ｅ〜１２ｈは、ネット１０の伸縮方向に沿って可動框１１まで導かれ、可動框１１内において、縦枠材２からネット１０の上半部に沿って導かれてきた張紐１２ｅ，１２ｆは、図示しない転向子により転向させて可動框１１の下端部まで導かれ、下横枠材内に至り、そこで更に転向させて縦枠材３の下部に固定している。
一方、縦枠材２からネット１０の下半部に沿って導かれてきた張紐１２ｇ，１２ｈは、可動框１１内において、図示しない転向子により転向させて可動框１１の上端部まで導かれ、上横枠材内に至り、そこで更に転向させて縦枠材３の上部に固定している。
【００３０】
図９は、上記各実施例の網戸枠における上部に設けられる上横枠材４と、下部に設けられる下横枠材５とに、防虫用ネット１０の上下端をガイドさせる構造の一例を示すものである。
上述した張紐を、ネット１０の上下端付近にも張設して、それに張紐係止体を係止させれば、ネット１０の上下端に自立性および風圧に対する強度をもたせることができるが、ネット１０の上下端を更に安定的にガイドさせるためには、ネットの上下端を網戸枠の上下横枠材４，５に保持させるのが有効である。
【００３１】
図９は、そのための構成を示すもので、上記ネット１０の上端縁には、上横枠材４のガイド溝４１に沿ってガイドされるフック４２が設けられている。このフック４２は、ガイド溝４１内に移動自在に係止するスライド部４３と、ネット１０を挟持する挟持部４４とを連結することにより構成され、ネット１０の上端縁を挟持部４４で挟持してネット１０に取り付けられている。一方、上記ネット１０の下端縁にも、フック４２と同構造で、スライド部４６および挟持部４７を有するフック４５が同様に取り付けられ、下横枠材５に設けられたガイド溝５１に沿ってガイドされるように設けられている。
【００３２】
上記挟持部４４，４７は、それぞれ一対の挟持板でネット１０の一部を挟み、面状ファスナと同様な挟持面で、それらの挟持面間にネットを保持すると同時に一対の挟持板を接合状態に保持するものである。
また、これらの上フック４２，４５におけるスライド部４３，４６は、それぞれのガイド溝４１，５１の一部に設けられた通過孔４１ａ，５１ａを経てガイド溝４１，５１に係合し、ガイド溝上を走行するようになっている。
【００３３】
このように、上記フック４２，４５は、網戸枠の上下横枠材のガイド溝４１，５１に挿脱自在に係合し、上記ネットはフック４２，４５に対して着脱自在になっていて、ネットユニット８の着脱に支障を来さないようにしているが、かかる構成に限るものではなく、要は上記ネット１０が横枠材４，５に対して着脱自在であればよい。
また、図９の例では、上記ネット１０における上下の双方にフック４２，４５を取り付け、それらをガイド溝４１，５１に係合させているが、ネット１０の上下いずれか一方のみに該フックを設けることもできる。
【００３４】
つぎに、図１０に示す実施例について説明する。
この実施例では、張紐１２が防虫用ネット１０の表裏両面側に配設されるとともに、それらの張紐１２に係止する張紐係止体１３がネット１０の表裏面の折り目の頂部１０ａにそれぞれ設けられている。
表裏両面のいずれの張紐も、図２または図８によって説明したような態様で網戸枠に張設され、また、ネット１０の表面側に設けた張紐係止体１３は、第１実施例において説明した通りのものである。
【００３５】
この実施例の横引き網戸では、ネット交換の容易さを維持しつつ、ネットの自立性および風圧に対する強度をより向上させることができる。
なお、この実施例のその他の構成および作用は、上記第１実施例の場合と実質的に変わるところがないので、それらの説明は省略する。
また、上記実施例は、いずれも単一の可動框を備えた片開き網戸に本発明を適用したものであるが、本発明はこれに限らず、複数の可動框が設けられた網戸にも適用することができる。
【図面の簡単な説明】
【００３６】
【図１】本発明に係る横引き網戸の第１実施例の主要構成を示す斜視図である。
【図２】上記第１実施例の正面図である。
【図３】上記第１実施例の平断面図である。
【図４】上記第１実施例の組付態様を示す分解斜視図である。
【図５】上記同分解平面図である。
【図６】第２実施例の要部斜視図である。
【図７】第３実施例の要部斜視図である。
【図８】張紐の異なる張設態様を示す図２と同様な正面図である。
【図９】上下横枠材への防虫用ネットの取付構造を示す分解部分斜視図である。
【図１０】本発明の他の実施例の要部を示す部分斜視図である。
【符号の説明】
【００３７】
１        横引き網戸
２，３    縦枠材
４，５    横枠材
１０      防虫用ネット
１０ａ    頂部
１１      可動框
１２，１２ａ〜１２ｄ，１２ｅ〜１２ｈ    張紐
１３，２３，３３    張紐係止体
１３ｂ，２５ｂ，３５ｂ    長穴
１３ｃ，２５ｃ，３５ｃ    スリット  
１４      固定板
１５Ａ，１５Ｂ    面状ファスナ
２４    枢軸部
２５，３５    係止部
２６Ａ，２６Ｂ    翼板
３４    板状部
４１，５１    ガイド溝
４２，４５    フック
【図１】
2006028929.tif 000003
【図２】
2006028929.tif 000004
【図３】
2006028929.tif 000005
【図４】
2006028929.tif 000006
【図５】
2006028929.tif 000007
【図６】
2006028929.tif 000008
【図７】
2006028929.tif 000009
【図８】
2006028929.tif 000010
【図９】
2006028929.tif 000011
【図１０】
2006028929.tif 000012